(57)【要約】【課題】本発明は、格子棚の組み立ての容易性及び一体成形の可能性を改善することを課題とする。【解決手段】本発明は、台座と、前記台座の前側に左右間隔を開けて立設してある一対の第１の直棒と、前記一対の第１の直棒の間に固設され、且つ、表面に複数の案内／保持レールが互いに間隔を開けて前後方向に沿うように設置してある保持板手段とからなっていて、前記案内／保持レールに沿って平板体が案内／保持レール間に差し込まれて保持されることができる格子棚と、それを組み立て得るＤＩＹセットを提供する。【選択図】図３
2006247264.tif 000002
【特許請求の範囲】
【請求項１】
台座と、
前記台座の前側に左右間隔を開けて立設してある一対の第１の直棒と、
前記一対の第１の直棒に固設され、且つ、表面に複数の案内／保持レールが互いに間隔を開けて前後方向に沿うように設置してある保持板手段とからなっていて、前記案内／保持レールに沿って平板体が前記案内／保持レール間に差し込まれて保持されることができることを特徴とする格子棚。
【請求項２】
前記保持板手段は、二枚の立て板からなっており、
この二枚の立て板は、前記一対の第１の直棒に互いに対向するようにそれぞれ固設されており、
前記二枚の立て板の互いに対向する面に、それぞれ、前記複数の案内／保持レールが上下間隔を開け、且つ、左右互いに対応して、間隔を開けた複数の収納空間を形成するように分布して設置してあることを特徴とする請求項１に記載の格子棚。
【請求項３】
前記保持板手段は、二枚の横板からなっており、
この二枚の横板は、それぞれ、前記一対の第１の直棒の間に挟まれると共に、上下互いに対向するように固設されており、
前記二枚の横板の互いに対向する面に、それぞれ、前記複数の案内／保持レールが左右間隔を開け、且つ、上下互いに対応して、間隔を開けた複数の収納空間を形成するように分布して設置してあることを特徴とする請求項１に記載の格子棚。
【請求項４】
前記台座の後側であって前記一対の第１の直棒の間に対応する位置に止め手段が立設されていて、該止め手段が前記案内／保持レールに沿って該当の収納空間に差し込まれる平板体を後ろから止めることができることを特徴とする請求項１〜３のいずれかの一項に記載の格子棚。
【請求項５】
前記止め手段は、前記台座の後側であって前記一対の第１の直棒の間のほぼ中央に対応する位置に立設してある第２の直棒からなることを特徴とする請求項４に記載の格子棚。
【請求項６】
前記第２の直棒に、上下間隔を開けた複数の横棒が左右に延伸して設置されていて、前記横棒が前記案内／保持レールに沿って該当の収納空間に差し込まれる平板体を後ろから止めることができることを特徴とする請求項５に記載の格子棚。
【請求項７】
前記第２の直棒に、その上端近くから左右下方に延伸していて使用時に地面に対して突っ張りながら、前記案内／保持レールに沿って該当の収納空間に差し込まれる平板体を後ろから止めることができる一対の脚棒が付設してあることを特徴とする請求項５に記載の格子棚。
【請求項８】
前記一対の第１の直棒は、それぞれ互いに対向している平面を有し、この平面は前記第１の直棒に窪んで形成されていることで上下２つの止め壁で終わっており、
それにより、前記保持板手段が前記２つの止め壁に止められて固定されていることを特徴とする請求項１に記載の格子棚。
【請求項９】
前記保持板手段は、前記一対の第１の直棒に対して、ほぞとほぞ穴の嵌合構造で連結されて固定されたことを特徴とする請求項１に記載の格子棚。
【請求項１０】
それぞれの一側面に長手方向に沿った平面があり、且つ、該平面に前記長手方向に沿って間隔を開けた一連のほぞ又はほぞ穴の一方が設けてある複数の直棒と、
上面に前記直棒を差し込んで立設することができる複数の開口が形成してある台座と、
それぞれ長尺表裏面を有し、前記表面に、複数の案内／保持レールが前記表面の長手方向に間隔を開け、且つ、前記表面の横断方向に沿うように設置してあり、また、その両短辺側面上及び／又は前記裏面の１つの長辺側面近くに一連の前記ほぞ又はほぞ穴の他方が設けてある複数の板とからなっており、
前記直棒のうちの２本を一対の第１の直棒として前記台座の前側左右にある一対の開口に前記平面が対向するように立設し、
少なくとも二枚の前記板を前記ほぞと前記ほぞ穴の嵌合構造で、前記一対の第１の直棒に、前記複数の案内／保持レールのある表面が互いに対向するように固設することにより、請求項１に記載の格子棚を組み立てることができる格子棚のＤＩＹセット。
【発明の詳細な説明】
【技術分野】
【０００１】
本発明は、格子棚及びそれを容易に組立て得るＤＩＹセットに関する。
【背景技術】
【０００２】
例えばＣＤ、ＶＣＤ、ＤＶＤなどのディスクを収納するための通常の格子棚１としては、図１、２に示すように、その上面に正三角形の配置となった三つ開口１１１を有する台座１１と、上下両端を有し、その下端が前記台座１１のいずれかの開口１１１にも挿入固定されることができ、また、その一側面に上下間隔をあけるように該側面を横断した複数の切り込み溝１２１が形成されている複数の直棒１２と、アーク形のものであって、前記直棒１２の切り込み溝１２１に差し込まれることができる厚さの複数の載せ板１３とからなるＤＩＹ(Do It Yourself)セットから組み立てられるものがある。
【０００３】
組み立てるときには、まず、前記三つ開口１１１の二つを前側、他の一つを後ろ側にあるように前記台座１１を置いてから、前記直棒１２の二本を保持棒とし、且つその切り込み溝１２１のある側面が対向するように、前記前側の二つの開口１１１に前記直棒１２を挿入固定し、次に、前記後ろの開口１１１に他の一本の直棒１２を止め棒として挿入固定する。そうすると、前記前側に左右対になっている保持棒の複数の切り込み溝１２１が左右対応するようになり、且つ後ろ側の止め棒の複数の切り込み溝１２１もそれらと同じ高さで配列されているので、最後に、前記載せ板１３を必要枚数だけ前から保持棒１２の左右対になっている切り込み溝１２１に差し込んでから止め棒１２の切り込み溝１２１に挿入することで、格子棚１の組み立てを完了することができる。このような構成の格子棚１は、自分で組み立てられるが、載せ板が弓形であるので、前記切り込み溝１２１への挿入が難しく、且つ、直棒１２には切り込み溝１２１が多くあり、それらを加工で一つ一つ形成しなければならず、一体成形性に優れたものではない。
【発明の開示】
【発明が解決しようとする課題】
【０００４】
上記に鑑みて、本発明は、格子棚の組み立ての容易性及び一体成形の可能性を改善することをその課題とする。即ち、本発明は、組み立ての容易性及び一体成形の可能性が良い格子棚及びそれを組み立て得るＤＩＹセットを提供することを目的とする。
【課題を解決するための手段】
【０００５】
前記目的を達成するために、本発明は、台座と、前記台座の前側に左右間隔を開けて立設してある一対の第１の直棒と、前記一対の第１の直棒に固設され、且つ、表面に複数の案内／保持レールが互いに間隔を開けて前後方向に沿うように設置してある保持板手段とからなっていて、前記案内／保持レールに沿って平板体が前記案内／保持レール間に差し込まれて保持されることができることを特徴とする格子棚を提供する。
【０００６】
また、本発明は、前記格子棚を自分で容易に組み立てられるように、それぞれの一側面に長手方向に沿った平面があり、且つ、該平面に前記長手方向に沿って間隔を開けた一連のほぞ又はほぞ穴の一方が設けてある複数の直棒と、上面に前記直棒を差し込んで立設することができる複数の開口が形成してある台座と、それぞれ長尺表裏面を有し、前記表面に、複数の案内／保持レールが前記表面の長手方向に間隔を開け、且つ、前記表面の横断方向に沿うように設置してあり、また、両短辺側面上及び／又は前記裏面の一長辺側面近くに一連の前記ほぞ又はほぞ穴の他方が設けてある複数の板とからなっており、前記直棒のうちの２本を一対の第１の直棒として前記台座の前側左右にある一対の開口に前記平面が対向するように立設し、少なくとも二枚の前記板を前記ほぞと前記ほぞ穴の嵌合構造で、前記一対の第１の直棒に、前記複数の案内／保持レールのある表面が互いに対向するように固設することにより、前記の格子棚を組み立てることができる格子棚のＤＩＹセットも提供する。
【０００７】
本発明の格子棚では、前記板を二枚の立て板とし、それぞれ前記一対の第１の直棒に互いに対向するように固設することができる。例えば、前記格子棚では、前記保持板手段が二枚の立て板からなっており、この二枚の立て板は、それぞれ前記一対の第１の直棒に互いに対向するように固設されており、また、それらの互いに対向する表面に、それぞれ、前記複数の案内／保持レールが上下間隔を開け、且つ、左右互いに対応して、間隔を開けた複数の収納空間を形成するように分布して設置してある。
【０００８】
また、本発明の格子棚では、前記板を横板とし、それぞれ前記一対の第１の直棒の間に挟むと共に上下互いに対向するように固設することができる。例えば、前記格子棚では、前記保持板手段が二枚の横板からなっており、この二枚の横板は、それぞれ、前記一対の第１の直棒の間に挟まれると共に上下互いに対向するように固設されており、それらの互いに対向している表面に、それぞれ前記複数の案内／保持レールが左右に分布して設置してある。
【０００９】
本発明の格子棚では、前記台座の後側であって前記一対の第１の直棒の間に対応する位置に止め手段が立設されていて、前記案内／保持レールに沿って該当の収納空間に差し込まれる平板体を後ろから止めることができる。
【発明の効果】
【００１０】
上記構造からなる格子棚及び格子棚のＤＩＹセットは、全体の構成及び部品数が簡素であるので、組み立てが非常に容易であるばかりでなく、各部品自体も形状が簡単であるので一体成形性が良い。
【発明を実施するための最良の形態】
【００１１】
以下、本発明の具体的な実施形態を、図面を参照しながら詳細に説明する。本発明に関する前記及び他の技術内容、特徴、効果は、下記各実施形態の説明から分かるようになるが、本発明は、これらのみに限定されるものではない。なお、説明するため、下記各実施形態において、基本的な機能を同一とする箇所には同一符号を付している。
【００１２】
（第１の実施形態）
本発明の第１の実施形態における格子棚２は、図３，４に示すように、台座２１と、前記台座２１の前側に左右間隔を開けて立設してある一対の第１の直棒２２ａと、前記一対の第１の直棒２２ａの間に固設され、且つ、表面に複数の案内／保持レール２３４が互いに間隔を開けて前後方向に沿うように設置してある保持板手段２３とからなっていて、前記案内／保持レール２３４に沿ってＣＤ、ＶＣＤ、ＤＶＤなどのディスクまたは他の平板体３が前から案内／保持レール２３４間に差し込まれて保持されることができるようになっている。
【００１３】
また、前記格子棚２を自分で容易に組み立てられるように、それぞれの一側面に長手方向に沿った平面２２１があり、且つ、該平面２２１に前記長手方向に沿って間隔を開けた一連のほぞ２３１又はほぞ穴２２２の一方が設けてある複数の直棒２２ａ，２２ｂと、上面に前記直棒２２ａ，２２ｂを差し込んで立設することができる複数の開口２１１が形成してある台座２１と、それぞれ長尺表裏面を有し、前記表面に、複数の案内／保持レール２３４が前記表面の長手方向に間隔を開け、且つ、前記表面の横断方向に沿うように設置してあり、また、前記裏面の一長辺側面近くに一連の前記ほぞ２３１又はほぞ穴２２２の他方が設けてある複数の板２３（前記保持板手段２３に相当）とからなっているＤＩＹセットをも提供する。
【００１４】
前記ＤＩＹセットを使用して前記格子棚２を組み立てる際、まず、前記直棒２２ａ，２２ｂのうちの２本を一対の第１の直棒２２ａとして前記台座２１の前側左右にある一対の開口２１１に前記平面２２１が対向するように立設し、少なくとも二枚の前記板２３を前記ほぞ２３１と前記ほぞ穴孔２２２の嵌合構造により、前記複数の案内／保持レール２３４のある表面が互いに対向するようにして前記一対の第１の直棒２２ａの平面２２１上に固設する。
【００１５】
即ち、前記格子棚２においては、前記二枚の板２３を立て板として前記一対の第１の直棒２２ａの平面２２１上に固設することにより、前記保持板手段２３を形成した。この二枚の立て板は、上述したように、それらの表面が互いに対向するように前記一対の第１の直棒２２ａに固設されているので、それらの表面に分布して設置してある複数の案内／保持レール２３４は、それぞれ上下間隔を開け、且つ、左右互いに対応することで、間隔を開けた複数の収納空間を形成するようになっている。
【００１６】
また、前記格子棚２においては、前記直棒２２ａ，２２ｂのうちの１本を止め手段（前記第１の直棒２２ａに対し、止め手段を構成する第２の直棒は直棒２２ｂと称する）として前記台座２１の後側であって前記一対の第１の直棒２２ａの間のほぼ中央に対応する位置に立設してある。
【００１７】
なお、前記直棒２２ａ，２２ｂにおける平面２２１は、図示のように、直棒内に窪んで形成されることで上下２つの止め壁２２４、２２４で終わっており、前記保持板手段２３が前記２つの止め壁２２４、２２４によって止められて固定されている。
【００１８】
（第２の実施形態）
本発明の第２の実施形態は、図５、６に示すように、第１の実施形態と大略同様であるが、この格子棚においては、前記二枚の板２３を横板として前記一対の第１の直棒２２ａの間に固設することにより前記保持板手段２３を形成した。この場合、板２３の短辺側面２３３上にほぞ２３１又はほぞ穴２２２の一方が形成され、第１の直棒２２ａの平面２２１にほぞ２３１又はほぞ穴２２２の他方が形成されていて、これらのほぞ２３１とほぞ穴２２２との嵌合構造によって板２３が一対の第１の直棒２２ａに固設される。この二枚の横板２３は、前記一対の第１の直棒２２ａの間に挟まれると共に上下互いに対向するようにそれぞれ固設されているので、それらの互いに対向している表面に分布して設置してある前記複数の案内／保持レール２３４が左右間隔を開け、且つ、上下互いに対応することで、間隔を開けた複数の収納空間を形成するようになっているという点で前記第１の実施形態と異なっている。
【００１９】
なお、前記第２の直棒２２ｂには、上下間隔を開けて複数の横棒２５が左右に延伸して設置されているので、前記案内／保持レール２３４に沿って該当の収納空間に差し込まれる平板体３を後ろから止めることができる。
【００２０】
また、図７に示すように、前記二枚の横板２３と二枚の立て板２３を組み合わせてもよい。即ち、一対の第１の直棒２２ａにおける前記平面２２１の上の止め壁２２４の直ぐ下から二枚の横板２３を該一対の第1の直棒２２ａの間に挟むと共に上下互いに対向するように固設し、次に、前記平面２２１の下の止め壁２２４の上に、二枚の立て板２３を左右互いに対向するようにして前記一対の第１の直棒２２ａに固設する。そして、前記第２の直棒２２ｂを前記台座の後側で且つ前記一対の第１の直棒２２ａの間のほぼ中央に対応する位置に立設し、更に、横棒２５を前記第２の直棒２２ｂに形成してある複数の孔２２３に挿入する。それにより、横棒２５に第２の直棒２２ｂと同様に止め手段の機能を持たせて、より一層止め手段の効果を向上させることができる。なお、本実施形態では、横板２３と立て板２３を同時に使用して組み立てる格子棚なので、この格子棚を使用すると、サイズの異なるＣＤ、ＶＣＤ、ＤＶＤなどのディスクを同時に収納できるようになる。
【００２１】
また、前記のような構成の格子棚では、止め手段である第２の直棒２２ｂ及び横棒２５で収納物である平板体を後ろから止めることができ、より一層止め手段の効果を向上させることができるが、この格子棚は地面に置いたまま使用する場合もあることを考えると、図８に示すように、前記格子棚において、前記第２の直棒２２ｂに、その上端近くから左右下方に延伸していて使用時に地面に対して突っ張りながら、前記案内／保持レール２３４に沿って該当の収納空間に差し込まれる平板体３を後ろから止めることができる一対の脚棒２５１が付設されても良い。
【００２２】
（第３の実施形態）
本発明の第３の実施形態は、図９に示すように、前記実施形態と大略同様であるが、横棒２５を第２の直棒２２ｂに差し込むものでなく、横棒２５をねじ継ぎ手２５２で第２の直棒２２ｂに回動可能に枢止してある。
【００２３】
（第４の実施形態）
本発明の第４の実施形態としては、図１０に示すように、前記第３の実施形態の格子棚のＤＩＹセットを使用して組み立てるものである。また、本実施形態は、第３の実施形態の格子棚の組み立てを完成した後、更に、一枚の横板２６を前記一対の第１の直棒２２ａにおける平面２２１の下の止め壁２２４の直上に差し込んで固定する。それにより、格子棚全体のフレーム構造の丈夫さが向上する。
【００２４】
なお、上述した各格子棚は、すべて本発明の好ましい実施形態であって、本発明の特許請求の範囲及び明細書の内容に基づく簡単な変更や改良は本発明の範囲に属する。
【産業上の利用可能性】
【００２５】
本発明の格子棚は、容易に組み立てられるばかりでなく、ＤＩＹセットとして市販されることにも適用できる。
【図面の簡単な説明】
【００２６】
【図１】従来例の格子棚の分解斜視図。
【図２】従来例の格子棚の組み立て図。
【図３】本発明の第１の実施形態の格子棚の分解斜視図。
【図４】本発明の第１の実施形態の格子棚の組み立て図。
【図５】本発明の第２の実施形態の格子棚の分解斜視図。
【図６】本発明の第２の実施形態の格子棚の組み立て図。
【図７】前記第１及び第２の実施形態を合わせて組み立てた態様の斜視図。
【図８】第２の実施形態において、横棒に代えて脚棒を使用した態様を示す分解斜視図。
【図９】本発明の第３の実施形態の格子棚の組み立て図。
【図１０】本発明の第４の実施形態の格子棚の組み立て図。
【符号の説明】
【００２７】
１、２．．．格子棚
３、４．．．ディスクなどの平板体のもの
１１、２１．．．台座
１２．．．直棒
１３．．．載せ板
１２１．．．切り込み溝
１１１、２１１．．．開口
２２ａ．．．第１の直棒
２２ｂ．．．第２の直棒
２２１．．．止め壁
２２２．．．ほぞ穴
２２３．．．孔
２３．．．保持板手段
２３１．．．ほぞ
２３３．．．短辺側面
２３４．．．案内／保持レール
２５．．．横棒
２５１．．．脚棒
２５２．．．ねじ継ぎ手
【図１】
2006247264.tif 000003
【図２】
2006247264.tif 000004
【図３】
2006247264.tif 000005
【図４】
2006247264.tif 000006
【図５】
2006247264.tif 000007
【図６】
2006247264.tif 000008
【図７】
2006247264.tif 000009
【図８】
2006247264.tif 000010
【図９】
2006247264.tif 000011
【図１０】
2006247264.tif 000012